(57)【要約】【課題】本発明は、交通信号制御機と連動した無線送信機が交差点における交通信号情報をリアルタイムで車内の無線受信機に送信すれば無線受信機でこれを受信し、受信した交通信号情報を道路インデックス技術に基づいて解釈してアイドルストップ、エコドライビング、交通安全サービスなどに活用できるようにする交通信号情報提供方法および装置を提供する。【解決手段】本発明の交通信号情報提供方法は、無線送信機が、交通信号制御機から交通信号情報を抽出するステップ、交通信号制御機が位置した交差点における信号機の位置情報を交通信号情報に結合してデータパケットを生成するステップ、データパケットを無線受信機に送信するステップを含む。【選択図】図８
2011129090.tif 000002
【特許請求の範囲】
【請求項１】
無線送信機が、
交通信号制御機から交通信号情報を抽出するステップと、
前記交通信号制御機が位置した交差点における信号機の位置情報を前記交通信号情報に結合してデータパケットを生成するステップと、
前記データパケットを無線受信機に送信するステップと
を備えた交通信号情報提供方法。
【請求項２】
前記交通信号情報は、交通信号現示情報および現示情報アップロード情報を含み、前記無線送信機が該当交差点の信号機位置情報を前記抽出した交通信号情報に結合することにおいて、前記交差点で正北を基準として時計回りで信号機の位置と前記交通信号現示情報に含まれたリング番号とをマッピングさせることを特徴とする請求項１に記載の交通信号情報提供方法。
【請求項３】
前記無線送信機は、前記交通信号制御機に搭載され、前記交通信号制御機から電源が供給されることを特徴とする請求項１に記載の交通信号情報提供方法。
【請求項４】
前記データパケットは、前記交通信号制御機の識別子、パケットタイプ、シーケンス、リングタイプおよび現示個数を含んでいるデータヘッダを含むことを特徴とする請求項１に記載の交通信号情報提供方法。
【請求項５】
前記パケットタイプは、前記無線送信機が正常に動作するか否かを示すことを特徴とする請求項４に記載の交通信号情報提供方法。
【請求項６】
前記シーケンスは、前記データパケットの生成番号を意味し、１ずつ増加し、一定ビットを超過する場合に０に初期化されることを特徴とする請求項４に記載の交通信号情報提供方法。
【請求項７】
前記データパケットは、前記信号機の方向情報と赤信号の残余時間情報とをさらに含むことを特徴とする請求項４に記載の交通信号情報提供方法。
【請求項８】
前記データパケットは、前記交通信号制御機の識別子、パケットタイプ、分割パターン（Ｐａｒｔｉｔｉｏｎ  ｐａｔｔｅｒｎ）、リングタイプおよび現示個数を含んでいるデータヘッダを含むことを特徴とする請求項１に記載の交通信号情報提供方法。
【請求項９】
前記データパケットは、前記信号機の方向情報と青信号の信号時間情報とをさらに含むことを特徴とする請求項８に記載の交通信号情報提供方法。
【請求項１０】
前記信号機の方向情報は、信号機インデックスにしたがって入力され、前記信号機インデックスは北を基準として時計回りで近い信号機の順序に番号が割り当てられることを特徴とする請求項９に記載の交通信号情報提供方法。
【請求項１１】
無線受信機が、
交通信号制御機から抽出した交通信号情報に該当交差点における信号機の位置情報を結合して生成されたデータパケットを外部から受信するステップと、
車の現在位置情報を取得するステップと、
前記取得した位置情報を用いて前記車の進行方向に対応する交通信号情報を前記データパケットから抽出するステップと
を備えた交通信号情報提供方法。
【請求項１２】
前記車の現在位置情報を取得するステップは、前記車の現在位置情報を前記車に備えられた衛星航法装置（ＧＰＳ）から取得することを特徴とする請求項１１に記載の交通信号情報提供方法。
【請求項１３】
交通信号制御機から交通信号情報を抽出する現示情報抽出部と、
前記交通信号制御機が位置した交差点における信号機の位置情報を前記抽出した交通信号情報に結合してデータパケットを生成するデータ生成部と、
前記データパケットを外部に送信する送信部と
を備えた交通信号情報提供装置。
【請求項１４】
前記交通信号制御機から電源が提供されて前記各部に必要な電源を供給する電源部をさらに備え、前記交通信号制御機に搭載されることを特徴とする請求項１３に記載の交通信号情報提供装置。
【請求項１５】
前記交通信号情報は、交通信号現示情報および現示情報アップロード情報を含み、前記データ生成部は、前記交差点で正北を基準として時計回りで信号機の位置と前記交通信号現示情報に含まれたリング番号をマッピングさせて前記データパケットを生成することを特徴とする請求項１３に記載の交通信号情報提供装置。
【請求項１６】
前記データパケットは、前記交通信号制御機の識別子、パケットタイプ、シーケンス、リングタイプおよび現示個数を含んでいるデータヘッダを含むことを特徴とする請求項１３に記載の交通信号情報提供装置。
【請求項１７】
前記データパケットは、前記信号機の方向情報と赤信号の残余時間情報とを含むことを特徴とする請求項１６に記載の交通信号情報提供装置。
【請求項１８】
前記データパケットは、前記交通信号制御機の識別子、パケットタイプ、分割パターン（Ｐａｒｔｉｔｉｏｎ  ｐａｔｔｅｒｎ）、リングタイプおよび現示個数を含んでいるデータヘッダを含むことを特徴とする請求項１３に記載の交通信号情報提供装置。
【請求項１９】
前記分割パターンの長さは前記現示個数によって異なり、前記現示個数が増加するほど前記分割パターンの長さが増加することを特徴とする請求項１８に記載の交通信号情報提供装置。
【請求項２０】
車の現在位置情報を取得する位置情報収集部と、
交通信号制御機から抽出した交通信号情報に該当交差点における信号機の位置情報を結合して生成されたデータパケットを外部から受信する受信部と、
前記取得した位置情報を用いて前記車の進行方向に対応する交通信号情報を前記データパケットから抽出するデータ処理部と
を備えた交通信号情報提供装置。
【発明の詳細な説明】
【技術分野】
【０００１】
本発明は、交通信号情報提供方法および装置に関し、より詳細には、交差点ごとの多様な交通信号情報を道路情報に対応するように符号化することにより、符号化された交通信号情報が車に無線により伝達されたとき、車の進行方向に対応する交通信号情報のみを抽出して車制御に用いるようにする方法および装置に関する。
【背景技術】
【０００２】
最近、自動車の急増による排出ガスの増大によって公害問題が一層深刻になっており、社会的に大きな問題となっている。
【０００３】
これにより、車の排出ガスを減らすために、市街地の走行時に信号待ちなどで車が停車すれば、アイドリング中のエンジンを自動で停止させ、所定時間後に車が発進しようとすれば、エンジンを再始動させるアイドルストップ制御装置（他の用語ではエンジン自動停止／再始動装置、エンジン・アイドル・ストップ・アンド・ゴー（ｅｎｇｉｎｅ  ｉｄｌｅ  ｓｔｏｐ  ＆  ｇｏ）装置などと呼ばれたりもする）が車に搭載されている。
【０００４】
ところが、車が信号待ちなどによって停車している間にアイドルストップ制御を行うためには、現在自分の車がどれ程の時間だけ赤信号を待たなければならないのかを正確に知る必要がある。
【０００５】
赤信号待機時間が分からない状態では、運転に慣れていない運転初心者またはせっかちな運転手は、信号機の信号が青色に変わるようになればアクセルペダルを急激に強く踏むようになる。このようになれば、むしろ排出ガスの量が増えるという問題が発生する。
【０００６】
したがって、車が交差点において交通信号に対する情報を正確に把握できるようにし、運転手の介入なく予測可能なコンピューターを介して車が自動でアイドルストップのために始動を点けたり消したりでき、エネルギー節約のために経済速度および最適な経路を表出できるようにする方法が必要である。
【発明の概要】
【発明が解決しようとする課題】
【０００７】
本発明は、上述したような問題点を解決するために提案されたものであって、本発明は、交通信号制御機と連動した無線送信機が交差点における交通信号情報をリアルタイムで車内の無線受信機に送信すれば無線受信機でこれを受信し、受信した交通信号情報を道路インデックス技術に基づいて解釈してアイドルストップ、エコドライビング、交通安全サービスなどに活用できるようにする方法を提供することを目的とする。
【課題を解決するための手段】
【０００８】
本発明に係る交通信号情報提供方法は、無線送信機が、交通信号制御機から交通信号情報を抽出するステップと、交通信号制御機が位置した交差点における信号機の位置情報を交通信号情報に結合してデータパケットを生成するステップと、データパケットを無線受信機に送信するステップとを含む。
【０００９】
特に、交通信号情報は、交通信号現示（Ｐｈａｓｅ）情報と現示情報アップロード情報とを含み、無線送信機の該当する交差点の信号機位置情報を抽出した交通信号情報に結合することにおいて、交差点で正北を基準として時計回りで信号機の位置と交通信号現示情報に含まれたリング番号とをマッピングさせることを特徴とする。
【００１０】
また、無線送信機は、交通信号制御機に搭載され、交通信号制御機から電源が供給されることを特徴とする。
【００１１】
また、データパケットは、交通信号制御機の識別子、パケットタイプ、シーケンス、リングタイプ、および現示個数を含んでいるデータヘッダを備えることを特徴とする。
【００１２】
また、パケットタイプは、無線送信機が正常に動作するか否かを示すことを特徴とする。
【００１３】
また、シーケンスは、データパケットの生成番号を意味し、１ずつ増加し、一定のビットを超過する場合に０に初期化されることを特徴とする。
【００１４】
また、データパケットは、信号機の方向情報と赤信号の残余時間情報とをさらに含むことを特徴とする。
【００１５】
また、データパケットは、交通信号制御機の識別子、パケットタイプ、分割パターン（Ｐａｒｔｉｔｉｏｎ  ｐａｔｔｅｒｎ）、リングタイプ、および現示個数を含んでいるデータヘッダを含むことを特徴とする。
【００１６】
また、データパケットは、信号機の方向情報と青信号の信号時間情報とをさらに含むことを特徴とする。
【００１７】
また、信号機の方向情報は、信号機インデックスにしたがって入力され、信号機インデックスは、北を基準として時計回りで近い信号機の順序で番号が割り当てられることを特徴とする。
【００１８】
一方、本発明のさらに他の交通信号情報提供方法は、無線受信機が、交通信号制御機から抽出した交通信号情報に該当する交差点における信号機の位置情報を結合して生成されたデータパケットを外部から受信するステップと、車の現在位置情報を取得するステップと、取得した位置情報を用いて車の進行方向に対応する交通信号情報をデータパケットから抽出するステップとを含む。
【００１９】
特に、車の現在位置情報を取得するステップは、車の現在位置情報を車に備えられた衛星航法装置（ＧＰＳ）から取得することを特徴とする。
【００２０】
一方、本発明に係る交通信号情報提供装置は、交通信号制御機から交通信号情報を抽出する現示情報抽出部と、交通信号制御機が位置した交差点における信号機の位置情報を抽出した交通信号情報に結合してデータパケットを生成するデータ生成部と、データパケットを外部に送信する送信部とを備える。
【００２１】
特に、交通信号情報提供装置は、交通信号制御機に搭載され、交通信号制御機から電源が提供され、各部に必要な電源を供給する電源部を備えることを特徴とする。
【００２２】
また、交通信号情報は、交通信号現示情報と現示情報アップロード情報とを含み、データ生成部は、交差点で正北を基準として時計回りで信号機の位置と交通信号現示情報に含まれたリング番号とをマッピングさせてデータパケットを生成することを特徴とする。
【００２３】
また、データパケットは、交通信号制御機の識別子、パケットタイプ、シーケンス、リングタイプ、および現示個数を含んでいるデータヘッダを備えることを特徴とする。
【００２４】
また、データパケットは、信号機の方向情報と赤信号の残余時間情報とを含むことを特徴とする。
【００２５】
また、データパケットは、交通信号制御機の識別子、パケットタイプ、分割パターン（Ｐａｒｔｉｔｉｏｎ  ｐａｔｔｅｒｎ）、リングタイプ、および現示個数を含んでいるデータヘッダを備えることを特徴とする。
【００２６】
また、分割パターンの長さは現示個数によって異なり、現示個数が増加するほど分割パターンの長さが増加することを特徴とする。
【００２７】
一方、本発明のさらに他の交通信号情報提供装置は、車の現在位置情報を取得する位置情報収集部と、交通信号制御機から抽出した交通信号情報に該当する交差点における信号機の位置情報を結合して生成されたデータパケットを外部から受信する受信部と、取得した位置情報を用いて車の進行方向に対応する交通信号情報をデータパケットから抽出するデータ処理部とを備える。
【発明の効果】
【００２８】
以上説明したように、本発明によれば、次のような効果を期待することができる。
【００２９】
道路に既に設置されて運用されている交通信号制御機のハードウェアおよびソフトウェア的な変更なく、無線送信機が交通信号制御機から現示情報のみを取得し、これを交差点に対する位置情報と結合させて送信し、これを受信する無線受信機で特定路線やＧＰＳ情報を用いて各車の進行方向に対応する交通信号情報のみを抽出できるようにすることにより、運転手の介入なく予測可能なコンピューターを介して車が自動でアイドルストップのために始動を点けたり消したりでき、エネルギー節約のために経済速度および最適な経路を表出し、信号が変わる区間での衝突を避けることができるサービスを運転手に提供できるようになる。
【００３０】
また、本発明によれば、交差点の信号機ごとに無線送信機を設置せずに交差点に１つの無線送信機のみを設置すればよいため、サービス実現示に設置および運営費用を節減できるという効果がある。
【００３１】
さらに、本発明における特定周波数（例えば、４４７ＭＨｚ）を用いた無線通信方式が相対的に低いデータ送信率（１２００−２４００ｂｐｓ）を有していることを考慮し、送信される交通信号情報を含んだデータパケットの長さを最小化することにより、車に周期的に放送（Ｂｒｏａｄｃａｓｔ）するインターバルを短くできるだけでなく、プロセッシング（符号化／復号化）する時間を大きく減らし、サービス反応時間をより短縮できるようになる。
【図面の簡単な説明】
【００３２】
【図１】本発明の理解を助けるための概念の図である。
【図２】無線調整用および安全システム用特定小出力無線機器の使用周波数を示す図である。
【図３】本発明に係る交通情報信号提供装置の無線送信機の構成を詳細に説明するためのブロック図である。
【図４】４現示二重リング（Ａリング／Ｂリング）であるとき、信号機とリング番号とをマッピングさせる一例を示す図である。
【図５】本発明の一実施形態に係る生成されたデータパケットの構造を説明するための図である。
【図６】４現示二重リングで信号機方向情報と赤信号の残余時間を表現する方法の一例を示す図である。
【図７】４現示二重リングで信号機方向情報と赤信号の残余時間を表現する方法の一例を示す図である。
【図８】本発明の他の実施形態によって生成されたデータパケットの構造を説明するための図である。
【図９】４現示二重リングで１つのバリア内に含まれた４つの現示情報のそれぞれの長さを区分して２ｂｉｔ分割パターンで表現した例示の図である。
【図１０】現示個数によるバリアカウントの変化を示すための図である。
【図１１】現示個数によるバリアカウントの変化を示すための図である。
【図１２】現示個数によるバリアカウントの変化を示すための図である。
【図１３】現示個数による現示方向の表現例を示す図である。
【図１４】現示個数による現示方向の表現例を示す図である。
【図１５】４現示である場合にリングパターンを示す図である。
【図１６】３現示である場合にリングパターンを示す図である。
【図１７】５現示である場合にリングパターンを示す図である。
【図１８】８つの現示周期を表現する方法を示す図である。
【図１９】単一リングの場合、ヘッダの長さを除いたデータペイロードの長さを示す図である。
【図２０】二重リングの場合、ヘッダの長さを除いたデータペイロードの長さを示す図である。
【図２１】本発明の一実施形態に係る交通情報信号提供装置の無線受信機の構成を詳細に説明するためのブロック図である。
【発明を実施するための形態】
【００３３】
本発明を添付の図面を参照しながら詳細に説明すれば次のとおりである。ここで、繰り返される説明、本発明の要旨を不必要に不明瞭にする公知機能、および構成に対する詳細な説明は省略する。本発明の実施形態は、当業界で平均的な知識を有する者に本発明をより完全に説明するために提供されるものである。したがって、図面における要素の形状および大きさなどは、より明確な説明のために誇張されることができる。
【００３４】
本発明は、交通信号情報を送信する無線送信機とその交通信号情報を受信する無線受信機に対する通信プロトコルを明示している。本発明は３種類の方法に大別することができ、無線送信機が交通信号制御機と連動して適応型現示を抽出する方法、抽出した現示情報で赤信号の残余時間情報を符号化および復号化する方法、抽出した現示情報で青信号の信号時間情報を符号化および復号化する方法などを含む。
【００３５】
以下、図面を参照しながら、本発明に係る交通信号情報提供方法および装置について詳細に説明する。
【００３６】
図１は、本発明の理解を助けるための概念の図である。
【００３７】
図１を参照すれば、都心には図１に示すような交差点が存在し、このような交差点には信号の流れを円滑に統制するための交通信号機（図示せず）が設置されている。本発明において、交差点は、走行中の車の流れを統制する交通信号が存在する道路を指称する。このような交差点には、上述した交通信号機（交通信号灯器）がそれぞれ設置されており、この交通信号機を制御する交通信号制御機１０が存在する。
【００３８】
ここで、交通信号制御機は、遠隔にある交通情報管理サーバ（図示せず）と有無線通信方式を用いて交通信号情報を授受したり、隣接している他の交通信号制御装置と交通信号情報を授受したりすることができる。一般的に交通信号制御機をＬＣ（Ｌｏｃａｌ  Ｃｏｎｔｒｏｌｌｅｒ）と指称し、交通情報管理サーバをＲＣ（Ｒｅｍｏｔｅ  Ｃｏｎｔｒｏｌｌｅｒ）と指称する。
【００３９】
本発明の交通信号情報提供装置は、交通信号情報を無線で送信する無線送信機と無線送信機から送信された交通信号情報を受信する無線受信機を備える。
【００４０】
無線送信機は交通信号制御機１０に搭載され、交通信号制御機１０から電源が供給されることができる。このような場合、ＲＦモジュール形態で交通信号制御機１０に搭載され、既存の交通信号制御機に比べてアンテナのみが外部に露出した形態で構成されることができる。無線送信機は、交差点ごとの多様な交通信号情報を道路情報に対応するように符号化してデータパケットを生成して無線受信機に送信する。
【００４１】
無線受信機は車に搭載または付着されることができ、無線送信機から送信されるデータパケットを受信し、受信したデータパケットから車の進行方向に対応する交通信号情報のみを抽出して車制御に用いられるようにする。例えば、アイドルストップ、エコドライビング、交通安全サービスなどに、抽出された交通信号情報が活用され得るようにする。
【００４２】
本発明において、データパケットを送信するために用いられる周波数帯域は４４７．５８１２ＭＨｚ、４４７．５９３５ＨＭｚであり、現在まで使用中である応用サービスがない（図２を参照）。図２は、無線調整用および安全システム用特定小出力無線機器（情報通信部告示第２０００−４５号）の使用周波数を示す。４４７ＭＨｚ周波数は、無線調整用および安全システム用特定小出力無線機器に属する。
【００４３】
図３は、本発明に係る交通情報提供装置の無線送信機１００の構成を詳細に説明するための図である。
【００４４】
図３を参照すれば、本発明に係る無線送信機１００は、現示情報抽出部１１０、データ生成部１２０、送信部１３０、および電源部１４０を備える。
【００４５】
現示情報抽出部１１０は、ＲＳ２３２Ｃ通信方式を介して交通信号制御機１０から交通信号情報を抽出する。このとき、交通信号制御機１０との連動プロトコルメッセージに対する詳細内容は、交通信号制御機標準規格書を参考する。
【００４６】
現示情報抽出部１１０で交通信号制御機から抽出する交通信号情報には、交通信号現示情報と現示情報アップロード情報が含まれている。
【００４７】
交通信号現示情報には信号機の全体周期、現周期カウント、リング（Ｒｉｎｇ）情報、各現示の信号周期カウンタ情報が含まれており、交通信号現示情報のうちの有効データは、リング運営方式、周期カウンタ、現周期である。また、現示情報アップロード情報は、リングＡ現示１（ＲＩＮＧ  Ａ  ＰＨＡＳＥ  １）の運営時間から現示８（ＰＨＡＳＥ  ８）の運営時間、またはリングＢ現示１（ＲＩＮＧ  Ｂ  ＰＨＡＳＥ  １）の運営時間から現示８（ＰＨＡＳＥ  ８）の運営時間情報を意味する。
【００４８】
ここで、現示は、車に対して現在信号指示を示すものまたは信号の指示を意味する。また、リングは、各方向別に信号機が点燈する順序を意味するものであり、単一リングは１つの順序体系を示し、二重リングは２つの順序体系を示す。
【００４９】
現示情報抽出部１１０は、交通信号情報を交通信号制御機１０から取得するためにＲＳ２３２Ｃ通信を用い、このとき、交通信号制御機１０の識別子（ＬＣ＿ＩＤ）は、交通信号制御機１０のＥＥＰＲＯＭにある値を用い、交通信号制御機（ＬＣ）１０と交通情報管理サーバ（ＲＣ）間の通信プロトコルに基づく。これは、ＯＰＣＯＤＥ  ０×１２の要求と０×１３の応答から構成される交通信号現示情報と、０×３２の要求と０×３３の応答からなる現示情報アップロード情報を受けることを意味する。
【００５０】
データ生成部１２０は、交通信号制御機１０が位置した交差点における信号機の位置情報を現示情報抽出部１００で抽出した交通信号情報に結合してデータパケットを生成する。すなわち、データ生成部１２０は、交差点における信号機の位置情報を交通信号制御機１０から抽出した交通信号情報に加工し、交差点内の車に搭載または付着されている無線受信機が解釈できる形態に変換して無線受信機に送信する。
【００５１】
このとき、データ生成部１２０は、交差点で正北を基準として時計回りで信号機の位置と上述した交通信号情報に含まれたリング番号をマッピングさせて無線受信機に送信するデータパケットを生成する。図４は、４現示二重リング（Ａリング／Ｂリング）であるとき、信号機とリング番号をマッピングさせる一例を示す図である。
【００５２】
本発明によれば、交差点上の信号機別に交通信号情報を伝達するための無線送信機が必要なく、１つの交差点において１つの無線送信機のみですべての信号機の交通信号情報を伝達できるという長所がある。
【００５３】
一方、データ生成部１２０においてデータパケットを生成する方式を、  
Ａ．抽出された交通信号情報に赤信号の残余時間情報を符号化する方式、  
Ｂ．抽出された交通信号情報に青信号の信号時間を符号化する方式  
に区分することができる。
【００５４】
まず、Ａ方式によってデータ生成部１２０で生成されたデータパケットの構造は図５のとおりである。
【００５５】
図５を参照すれば、データパケットのヘッダ部分は、パケットタイプ、シーケンス（Ｓｅｑｕｅｎｃｅ）、交通信号制御機識別子（ＬＣ＿ＩＤ）、リングタイプ（Ｒｉｎｇ  ｔｙｐｅ）、および現示個数を含む。
【００５６】
パケットタイプは、ＢｒｏａｄｃａｓｔおよびＥｒｒｏｒがあり得る。Ｂｒｏａｄｃａｓｔは、システムが正常動作するときに信号機情報と連携したデータを無線送信機から無線受信機にＲＦデータを送信するメッセージを示し、Ｅｒｒｏｒは、システムに異常が生じたときにエラーデータを放送するようにメッセージタイプを規定する。
【００５７】
Ｌｅｎｇｔｈ部分は４ｂｉｔで構成され、ＬＳＢ（ｌｅａｓｔ  ｓｉｇｎｉｆｉｃａｎｔ  ｂｉｔ）３ビットは現示（Ｐｈａｓｅ）を示し、ＭＳＢ（ｍｏｓｔ  ｓｉｇｎｉｆｉｃａｎｔ  ｂｉｔ）１ビットは単一リングと二重リングを区分する。したがって、現示情報とリング情報に基づいて全体データパケットの長さを類推することができる。
【００５８】
例えば、４現示二重リングの場合、データパケットのヘッダは１６ｂｉｔ、信号機方向情報は１６ｂｉｔ（Ａリング−８ｂｉｔ、Ｂリング−８ｂｉｔ）、赤信号の残余時間は６４ｂｉｔ（Ａリング−３２ｂｉｔ、Ｂリング−３２ｂｉｔ）、ＣＲＣは８ｂｉｔで、計９８ｂｉｔとなる。
【００５９】
交通信号制御機識別子（ＬＣ＿ＩＤ）は、隣近交差点と重複しない４ｂｉｔの唯一の固有識別番号を有する。さらに、シーケンスは、無線受信機に送信されたデータパケットの生成番号を意味し、１ずつ増加し、４ｂｉｔが超過する場合に０の値に初期化されて再び増加する。
【００６０】
データのボディ部分は２つの部分（信号機方向情報と赤色時間の残余時間）に大別されることができ、データ生成部１２０は上述した説明で信号機とリング番号をマッピングさせた結果によって各信号機の方向情報を乗せる。このとき、信号機の方向情報は２ｂｉｔで表現され、００は歩行者のための信号、０１は直進信号、１０は左折信号、１１は特別信号を示すことができる。赤信号の残余時間情報も信号機方向情報と同様にリング番号順にマッピングされ、１ｂｙｔｅ  ｈｅｘ値で表記される。最後に、メッセージ無欠性のために、ＣＲＣフィールドで１ｂｙｔｅが用いられる。図６および図７は、４現示二重リングで信号機方向情報と赤信号の残余時間を表現する方法の一例を示す図である。
【００６１】
送信部１３０は、データ生成部１２０を介して生成されたデータパケットを外部に送信する役割を行う。すなわち、送信部１３０は、データ生成部１２０を介して生成されたデータパケットを車に搭載または付着されている無線受信機に送信する。
【００６２】
上述したように、本発明に係る無線送信機１００は交通信号制御機１０に搭載され、このとき、電源部１４０は、無線送信機１００の動作に必要な電源の供給を交通信号制御機１０から受け、上述した各部（現示情報抽出部、データ生成部、送信部）に供給する。
【００６３】
次に、Ｂ方式によってデータ生成部１２０で生成されたデータパケットの構造は図８のとおりである。
【００６４】
Ｂ方式によって生成されたデータパケットは、Ａ方式によって生成されたデータパケットに比べてパケットの長さを約１９％程度減少させることができる。
【００６５】
すなわち、本発明で用いられる周波数が４４７ＭＨｚ帯域であり、この周波数を用いた無線通信方式が相対的に低いデータ送信率（１２００−２４００ｂｐｓ）を有していることを考慮するとき、送信されるデータパケットの長さを最小化することにより、無線送信機が車に周期的に放送（Ｂｒｏａｄｃａｓｔ）するインターバルを短くすることができる。
【００６６】
これだけでなく、無線受信機で無線送信機から受信したデータパケットをプロセッシングする時間を大きく減らすことができるため、サービス反応時間をより短くすることができる。
【００６７】
図８を参照すれば、データパケットのヘッダ部分は、パケットタイプ、リングタイプ（Ｒｉｎｇ  ｔｙｐｅ）、シーケンス（Ｓｅｑｕｅｎｃｅ）、現示個数、交通信号制御機識別子（ＬＣ＿ＩＤ）、および分割パターン（Ｐａｒｔｉｔｉｏｎ  Ｐａｔｔｅｒｎ）を含み、２ｂｙｔｅの長さを有する。
【００６８】
パケットタイプは、ＨＥＬＬＯ、ＢＥＡＣＯＮ、ＢＥＡＣＯＮ＿ＲＥＱＵＥＳＴ、ＵＰＤＡＴＥ＿ＨＥＬＬＯなどのような無線送信機と無線受信機の間に通信のためのメッセージタイプを示し、ＴＶＣ１０＿ＢＲＯＡＤＣＡＳＴ、ＴＶＣ１０＿ＥＲＲＯＲなどのような無線送信機から無線受信機にデータパケットを送信するメッセージタイプを示す。
【００６９】
ＴＶＣ１０＿ＢＲＯＡＤＣＡＳＴは、本発明の交通情報信号提供装置が正常に動作するときに信号機情報と連携したデータを放送するようにメッセージタイプを規定し、ＴＶＣ１０＿ＢＲＯＡＤＣＡＳＴは、本発明の交通情報信号提供装置に異常が発生したときにエラーデータを放送するようにメッセージタイプを規定する。
【００７０】
データパケットのヘッダ部分のうち、１ｂｉｔのリングタイプは単一リング０と二重リング１を区分し、３ｂｉｔの現示個数は現示を示し、０００（２）−１１１（２）（１現示−８現示）で表現する。
【００７１】
図９を参照すれば、二重リング４現示の場合において、四角形の長さを現示周期と仮定すれば、１つのバリア内に含まれた４つの現示情報を長い部分、短い部分に区分して２ｂｉｔ分割パターンで表現することができる。
【００７２】
例えば、００（２）はＢリングがＡリングと同じ周期を有する場合、０１（２）と１０（２）はＢリングがＡリングと相反した周期を有する場合、１１（２）は不規則な周期を有する場合をそれぞれ表現する。ここで、分割パターンの長さは現示個数の情報によって異なり、２現示−３現示の場合は２ｂｉｔ、４現示−５現示の場合は４ｂｉｔ、６現示の場合は６ｂｉｔを占める。
【００７３】
データパケットのボディ部分は２つの部分（信号機方向情報と現示情報）に大別される。信号機方向情報は信号機インデックスにしたがって入力される。
【００７４】
信号機インデックスは北を基準として時計回りから近い順序で番号が付けられ、信号機インデックス順に信号機の方向情報が入力される。
【００７５】
このとき、５現示未満の場合（すなわち、２現示−４現示の場合）には信号機方向情報は２ｂｉｔで表現され、００（２）は歩行者のための歩行者信号、０１（２）は直進信号、１０（２）は左折信号、１１（２）は特別信号を示す（図１３の左側図）。
【００７６】
５現示の以上の場合には、図１３の右側図と図１４に示されたように３ｂｉｔで表現されることができる。
【００７７】
現周期（Ｃｕｒｒｅｎｔ  Ｃｏｕｎｔ）は交通信号制御機から伝達された現周期カウントであって８ｂｉｔで表現され、バリアカウント（Ｂａｒｒｉｅｒ  Ｃｏｕｎｔ）はバリア周期であって８ｂｉｔで表現され、バリア個数だけ順次に入力される。４現示の場合にバリアカウントは２つ（図１０参照）、３現示の場合に２つ（図１１参照）、５現示の場合に３つ（図１２）となる。
【００７８】
リングパターン（Ｒｉｎｇ  Ｐａｔｔｅｒｎ）とリング開始インデックス（Ｒｉｎｇ  Ｓｔａｒｔ  Ｉｎｄｅｘ）は信号機間に信号が点滅する順序を示し、リング開始インデックスは信号が最初に点く信号機が北を基準として時計回りで何番目であるかを表示し、二重リングの場合にはＡリングとＢリングそれぞれ２種の場合がある。
【００７９】
リングパターンは信号機点滅の順序を示す。図１５、図１６、図１７はそれぞれ４現示、３現示、５現示の場合にリングパターンを示す。
【００８０】
現示の青信号時間（Ｔｈｅ  ｇｒｅｅｎ  ｔｉｍｅ  ｏｆ  ａ  ｐｈａｓｅ）は、現示の周期を表現する。
【００８１】
例えば、二重リング４現示の場合、１つのバリア内には計４つの現示が存在し、２つのバリア内には計８つの現示が存在する。このとき、分割パターンを介して各現示位置と長い方、短い方の関係を把握することができる。
【００８２】
例えば、図１８において、０１＋０２（または０５＋０６）はバリア１の周期となり、０３＋０４（あるいは０７＋０８）はバリア２の周期となる。分割パターンにおいて、バリア１は０１（２）、バリア２は００（２）となる。計８つの現示（０１、０２、０３、０４、０５、０６、０７、０８）周期を表現する方法を図１８に示している。
【００８３】
計７ｂｉｔからなる現示の青信号時間（Ｔｈｅ  ｇｒｅｅｎ  ｔｉｍｅ  ｏｆ  ａ  ｐｈａｓｅ）において、０番目ビットはパーティションの長い方、短い方（０／１）を表現し、１番目ビットはオフセット（Ｏｆｆｓｅｔ）の符号＋／−（０／１）を示し、２番目−３番目ビットは該当するバリア周期を２つに分ける回数を示す。最後に、４番目−７番目ビットであるオフセットフィールドでバリア周期を２で分割回数（Ｔｈｅ  ＃  ｏｆ  ｄｉｖｉｓｉｏｎ  ｂｙ  ２）フィールドの値だけわけ分と該当する現示周期の差値を３ｂｉｔで表現する。
【００８４】
例えば、各現示０１（４０ｓ）、０２（４８ｓ）、０３（２９ｓ）、０４（２９ｓ）、０５（７２ｓ）、０６（１６ｓ）、０７（２９ｓ）、および０８（２９ｓ）を現示の青信号時間（Ｔｈｅ  ｇｒｅｅｎ  ｔｉｍｅ  ｏｆ  ａ  ｐｈａｓｅ）で表現すれば、次のように０１（０００１１００（２））、０４（００００１０１１（２））、０６（００１１１０１（２））で表現することができる。
【００８５】
このとき、０２周期は、バリア１周期から０１周期を引いた値で求めることができるため、０２周期は表現を省略する。同様に、０６周期に基づいて０５周期を計算することができるため、０５周期も表現を省略する。さらに、０４周期で残りの０３、０７、０８を類推することができるため、このすべての表現を省略する。
【００８６】
最後に、メッセージ無欠性のためにＣＲＣフィールドが８ｂｉｔで用いられる。
【００８７】
したがって、全体データパケットの長さは、リングタイプ、現示個数、分割パターンに基づいて判別することができ、単一リングと二重リングのそれぞれの場合、ヘッダの長さを除いたデータペイロード（ｐａｙｌｏａｄ）の長さを図１９と図２０に示している。二重リングの場合、分割パターン値によって４現示以上の場合に現示の青信号時間（Ｔｈｅ  ｇｒｅｅｎ  ｔｉｍｅ  ｏｆ  ａ  ｐｈａｓｅ）の長さが異なることができる。
【００８８】
図２１は、本発明に係る交通情報信号提供装置の無線受信機の構成を詳細に説明するための図である。
【００８９】
図２１を参照すれば、交通信号制御機と連動する無線送信機から交通信号情報を受信する無線受信機２００は、位置情報取得部２１０、受信部２２０、データ生成部２３０、サービス提供部２４０を備え、車に搭載されたり付着されたりすることができる。
【００９０】
位置情報取得部２１０は、車の現在位置情報を取得する。このとき、位置情報取得部２１０は、ＧＰＳ情報を用いるＩＴ装置または衛星航法装置（ＧＰＳ）と連動し、ＧＰＳ情報を取得することができる。
【００９１】
受信部２２０は、無線送信機から送信されるデータパケットを受信する。ここで、無線受信機が受信するデータパケットは、交通信号制御機から抽出した交通信号情報に該当する交差点における信号機の位置情報を結合して生成されたデータパケットである。
【００９２】
受信部２００を介してデータパケットが受信されれば、データ処理部２３０は、位置情報取得部２１０を介して取得した車の現在位置情報を用いて該当する車の進行方向に対応する交通信号情報を受信したデータパケットから抽出する。受信したデータパケットには交差点で道路の進行方向を、北を基準として時計回りで増加させながら数字を付けた、道路のインデックス情報と各道路別赤信号の残余時間（または道路別青信号のインターバル）とが含まれている。
【００９３】
したがって、データ処理部２３０は、データパケットに含まれた道路のインデックス情報と位置情報取得部２１０を介して取得した位置情報に基づいて車の進入および進出する道路の方向情報をマッピングすることができ、車が待機中の赤色および青信号の残余時間を抽出することができる。
【００９４】
一方、市内バスのように路線情報がある場合には、ＧＰＳ情報を用いずに無線送信機と約束された位置情報を用いることができ、この位置情報は特定方向（例えば、北）を基準として３６０度で時計回りあるいは反時計回りで進行方向を決めて使用することができる。
【００９５】
サービス提供部２４０は、データ処理部２３０によって抽出された交通信号情報の入力を受け、多様な外部装置の通信プロトコル、機能、および性能に適合するようにデータを変換して外部装置に伝達する役割を行う。
【００９６】
例えば、サービス提供部２４０は、アイドルストップ制御装置、エコドライビングのための装置、交通安全のためのサービス装置などのような外部装置で抽出された交通信号情報を伝達することができる。
【００９７】
本発明によれば、道路に既に設置されて運用されている交通信号制御機のハードエアおよびソフトウェア的な変更なく、無線送信機が交通信号制御機から現示情報のみを取得し、これを交差点に対する位置情報と結合させて送信し、これを受信する無線受信機で特定路線やＧＰＳ情報を用いて各車の進行方向に対応する交通信号情報のみを抽出できるようにすることにより、運転手の介入なく予測可能なコンピューターを介して車が自動でアイドルストップのために始動を点けたり消したりでき、エネルギー節約のために経済速度および最適の経路を表出し、信号が変わる区間での衝突を避けることができるサービスを運転手に提供できるようになる。
【００９８】
また、本発明によれば、交差点の信号機ごとに無線送信機を設置せずに交差点に１つの無線送信機のみを設置すればよいため、サービス実現示に設置および運営費用を節減できるという効果がある。
【００９９】
さらに、本発明における特定周波数（例えば、４４７ＭＨｚ）を用いた無線通信方式が相対的に低いデータ送信率（１２００−２４００ｂｐｓ）を有していることを考慮し、送信される交通信号情報を含んだデータパケットの長さを最小化することにより、車に周期的に放送（Ｂｒｏａｄｃａｓｔ）するインターバルを短くできるだけでなく、プロセッシング（符号化／復号化）する時間を大きく減らしてサービス反応時間をより短縮できるようになる。
【０１００】
以上のように、図面と明細書において最適の実施形態が開示された。ここで特定の用語が用いられたが、これは単に本発明を説明するための目的で用いられたものに過ぎず、意味限定や特許請求の範囲に記載された本発明の範囲を制限するために用いられたものではない。このため、本技術分野において通常の知識を有する者であれば、これから多様な変形および均等な他の実施形態が可能であるという点が理解できるであろう。したがって、本発明の真正な技術的保護範囲は、添付の特許請求の範囲の技術的思想によって定められなければならない。
【符号の説明】
【０１０１】
１０  ・・・交通信号制御機
２０  ・・・ＧＰＳ
１００  ・・・無線送信機
１１０  ・・・現示情報抽出部
１２０  ・・・データ生成部
１３０  ・・・送信部
１４０  ・・・電源部
２００  ・・・無線受信部
２１０  ・・・位置情報取得部
２２０  ・・・受信部
２３０  ・・・データ生成部
２４０  ・・・サービス提供部
【図１】
2011129090.tif 000003
【図２】
2011129090.tif 000004
【図３】
2011129090.tif 000005
【図４】
2011129090.tif 000006
【図５】
2011129090.tif 000007
【図６】
2011129090.tif 000008
【図７】
2011129090.tif 000009
【図８】
2011129090.tif 000010
【図９】
2011129090.tif 000011
【図１０】
2011129090.tif 000012
【図１１】
2011129090.tif 000013
【図１２】
2011129090.tif 000014
【図１３】
2011129090.tif 000015
【図１４】
2011129090.tif 000016
【図１５】
2011129090.tif 000017
【図１６】
2011129090.tif 000018
【図１７】
2011129090.tif 000019
【図１８】
2011129090.tif 000020
【図１９】
2011129090.tif 000021
【図２０】
2011129090.tif 000022
【図２１】
2011129090.tif 000023